(57)【要約】【課題】インターネット接続環境を持つ移動通信端末において、ユーザにＩＰアドレスの変化によるデータ消滅を意識させることなく、快適な通信を維持する。【解決手段】サーバへ要求が発生する都度、データ保存部１２がその要求データを要求データファイル１６に記録保存しておき、ハンドオフ検出部１４でＩＰアドレスが変化するハンドオフが発生したことを検出した場合、データ再送部１５が要求データファイル１６を参照し、ハンドオフ直前にサーバに発行された要求データを読み出し、自動再送する。【選択図】      図１
2004357227.tif 000002
【特許請求の範囲】
【請求項１】
インターネットへの接続機能を備えた移動通信端末であって、
サーバへ要求が発生する都度、その要求データを保存する手段と、
ハンドオフによりＩＰアドレスの変化を検出する手段と、
前記ハンドオフによりＩＰアドレスが変化した場合、前記ハンドオフ直前に送信した要求データを読み出してハンドオフ後のサーバへ再送する手段と、
を備えたことを特徴とする移動通信端末。
【請求項２】
前記ハンドオフは基地局間のハンドオフであることを特徴とする請求項１記載の移動通信端末。
【請求項３】
前記ハンドオフは無線通信システム間のハンドオフであることを特徴とする請求項１記載の移動通信端末。
【発明の詳細な説明】
【発明の属する技術分野】
【０００１】
本発明は、インターネットへの接続機能を備えた移動通信端末に関する。
【０００２】
【従来の技術】
近年、インターネット接続機能を持つ携帯電話機が普及している。これら携帯電話機はＷｅｂ（Ｗｏｒｌｄ  Ｗｉｄｅ  Ｗｅｂ）ブラウザを内蔵し、通話はもとより、任意のサイトにアクセスして無線ＩＰ（Ｉｎｔｅｒｎｅｔ  Ｐｒｏｔｏｃｏｌ）データ通信を行うことにより、必要なときに、必要なデータを即時に入手することができる。
【０００３】
ところで、上記した無線ＩＰデータ通信では、携帯電話機の移動に伴い発生するハンドオフによりＩＰアドレスが変化する。つまり、携帯電話機の移動により生じるインターネットへの接続点変更に伴い、携帯電話機のＩＰアドレスは、その基地局に対応するアドレスに変更される。また、ｗｅｂサーバにアクセスするインターネット接続機能を持つ携帯電話機が下記特許文献１に開示されている。
【０００４】
【特許文献１】
特開２００２−２１８５４８号公報
【０００５】
【発明が解決しようとする課題】
ハンドオフ発生によりＩＰアドレスが変更されたときの携帯電話機とサーバとの通信シーケンスの一従来例を図３に示す。
ここでは、ユーザがＲ２の要求をサーバに転送した直後にハンドオフが発生し、携帯電話機のＩＰアドレスが変化した場合（１９２．１６８．１．３→１９２．１６８．５．１６９）、サーバから携帯電話機に送信される要求データは、ハンドオフ前のＩＰアドレス（１９２．１６８．１．３）に送信されるため、携帯電話機は、応答Ｒ２’を受信することができず、データは消滅してしまう。
【０００６】
新しいＩＰアドレスに変更した携帯電話機のユーザが再度Ｒ２の要求を発行することにより、サーバは、新しいＩＰアドレス宛に応答Ｒ２’を送信するため、携帯電話機は、はじめてその応答を得ることができる。
このようにデータ通信の最中にＩＰアドレスが変化するハンドオフが生じた場合、携帯電話機はその応答を受信できず、従って、ユーザに再アクセスが要求されるため、ユーザの負担が増え、快適な通信を行うことはできない。
【０００７】
本発明は上記事情に鑑みてなされたものであり、ＩＰアドレスが変化するハンドオフが発生した場合、直前にサーバに発せられた要求データを自動再送することで、ユーザにＩＰアドレスの変化によるデータの消滅を意識させることなく、快適な通信を維持することのできる移動通信端末を提供することを目的とする。
【０００８】
【課題を解決するための手段】
上記した課題を解決するために本発明は、インターネットへの接続環境を備えた移動通信端末であって、サーバへの要求が発生する都度、その要求データを保存する手段と、移動に伴い発生するハンドオフによりＩＰアドレスの変化を検出する手段と、前記ハンドオフによりＩＰアドレスが変化した場合、前記ハンドオフ直前に送信した要求データを読み出してハンドオフ後のサーバへ再送する手段とを備えたことを特徴とする。
【０００９】
本発明によれば、サーバへ要求が発生する都度、その要求データを一次記憶しておき、ＩＰアドレスが変化するハンドオフが発生したことを検出したときに、要求データファイルからハンドオフ直前にサーバに発行された要求データを読み出し、ハンドオフ後のサーバへ自動再送することで、ユーザにＩＰアドレスの変化によるデータの消滅を意識させることなく、快適な通信を維持することのできる移動通信端末を提供することができる。
【００１０】
【発明の実施の形態】
以下、図面を使用して本発明一実施形態について詳細に説明する。図１は、本発明における携帯電話機などの移動通信端末の内部構成を示すブロック図である。
本発明の移動通信端末は、要求受付部１１と、データ保存部１２と、データ送信部１３と、ハンドオフ検出部１４と、データ再送部１５と、要求データファイル１６で構成される。
【００１１】
上記した構成のいずれも、移動通信端末に搭載されたＣＰＵ、ＲＯＭ、ＲＡＭ（いずれも図示せず）により実現されるものであり、ＲＯＭに記録されたプログラムをＣＰＵが逐次読み出し、ＲＡＭを使用して実行することにより、それぞれが持つ機能を実行するものである。
【００１２】
具体的に、要求受付部１１は、ユーザが移動通信端末を操作することにより生成されるサーバアクセス要求を受付け、データ保存部１２は、そのアクセスに付属する要求データを要求データファイル１６に逐次保存する。すなわち、要求データファイル１６は、要求発生の都度、データ保存部１２によって更新される一時記憶領域としてＲＡＭ上に割付けられる。
データ送信部１３は、データ保存部１２により要求データが記録された後、その要求データをサーバへ送信する。
【００１３】
一方、ハンドオフ検出部１４は、移動に伴い発生するハンドオフによるＩＰアドレスの変化を検出してデータ再送部１５を起動し、データ再送部１５は、ハンドオフによりＩＰアドレスが変化したときに、ハンドオフ直前に記録され、送信された要求データを要求データファイル１６から読み出してハンドオフ後のサーバへ自動再送信する。
【００１４】
ハンドオフ発生によりＩＰアドレスが変更されたときの本発明の移動通信端末としての携帯電話機１とサーバ２との通信シーケンスが図２に示されている。
ここでは、ハンドオフ発生前のＩＰアドレスが、“１９２．１６８．１．３”、ハンドオフにより割付けられるＩＰアドレスが“１９２．１６８．５．１６９”として説明する。
以下、図２に示す通信シーケンスを参照しながら、図１に示す本発明一実施形態の動作について説明する。
【００１５】
ユーザが携帯電話機１を操作することにより生成されるＲ１の要求データをサーバ２に対して発行する場合、携帯電話機１は要求受付部１１でその要求データを受付け、データ保存部１２へ転送する。データ保存部１２では、その要求Ｒ１を要求データファイル１６に一時記録した後、データ送信部１３を起動してサーバ２に対し要求データＲ１を送信する。サーバ２は、要求データＲ１の応答として応答データＲ１’を携帯電話機１に送信する。
【００１６】
ユーザが、続いて携帯電話機１を操作することによりＲ２の要求データを生成すると、要求受付部１１を介してその要求データＲ２を受付け、このとき、データ保存部１２は、要求データファイル１６を参照し、先に記録済みの要求データＲ１を要求データＲ２に書き替え、その後、データ送信部１３を介してサーバ２へ要求データＲ２を送信する。
【００１７】
携帯電話機１がサーバ２へ要求データＲ２を送信した直後にハンドオフが発生し、携帯電話機１のＩＰアドレスが変化した場合、ハンドオフ検出部１４はこのことを検出し、データ再送部１５を起動して要求データファイル１６に記録済みの要求データＲ２を読み出し、サーバ２へ送信する。
このことにより、サーバ２は、新しいＩＰアドレス（１９２．１６８．５．１６９）宛てに応答データＲ２’を送信することができ、従って、ユーザは、ＩＰアドレス変更に基づくデータの消滅を意識することなく通信を継続できる。
【００１８】
以上説明のように本発明は、サーバ２へ要求が発生する都度、その要求データを要求データファイル１６に記録保存しておき、ハンドオフ検出部１４でＩＰアドレスが変化するハンドオフが発生したことを検出したときに、データ再送部１５が要求データファイル１６からハンドオフ直前にサーバ２に発行された要求データを読み出し、自動再送することで、ユーザにＩＰアドレスの変化によるデータの消滅を意識させることなく、快適な通信を維持することのできる移動通信端末を提供するものである。
【００１９】
なお、移動に伴いＩＰアドレスが変化するハンドオフには、基地局を切替えるハンドオフ（基地局間のハンドオフ）や、複数の無線通信システムを切替えるハンドオフ（無線通信システム間のハンドオフ）などを挙げられる。
【００２０】
【発明の効果】
以上説明のように本発明によれば、ユーザにハンドオフの有無に拘わらずアプリケーションの操作を継続することのできる快適なブラウジング環境を提供することができる。
【図面の簡単な説明】
【図１】本発明一実施形態の構成を示すブロック図である。
【図２】本発明一実施形態による通信シーケンスの一例を示す図である。
【図３】従来例の通信シーケンスの一例を示す図である。
【符号の説明】
１１…要求受付部、１２…データ保存部、１３…データ送信部、１４…ハンドオフ検出部、１５…データ再送部、１６…要求データファイル
【図１】
2004357227.tif 000003
【図２】
2004357227.tif 000004
【図３】
2004357227.tif 000005